(57)【要約】【課題】植物５００から発散する香気物質の濃度および成分を所望に調整することができる。【解決手段】香気物質を植物５００に導入して植物５００から発散させる香気物質導入方法であって、香気物質をイオン化して保持した作用側電極構造体２００および、電解液を保持した非作用側電極構造体３００を有するイオントフォレーシス装置１０を準備する準備手順と、作用側電極構造体２００および非作用側電極構造体３００の少なくとも一部を植物５００に接触させる接触手順と、作用側電極構造体２００と非作用側電極構造体３００との間に電力を供給する電力供給手順とを備える香気物質導入方法が提供される。【選択図】図１
2008043266.tif 000002
【特許請求の範囲】
【請求項１】
香気物質を植物に導入して前記植物から発散させる香気物質導入方法であって、
前記香気物質を保持した作用側電極構造体、および、電解液を保持した非作用側電極構造体を有するイオントフォレーシス装置を準備する準備手順と、
前記作用側電極構造体および前記非作用側電極構造体の少なくとも一部を前記植物に接触させる接触手順と、
前記作用側電極構造体と前記非作用側電極構造体との間に電力を供給する電力供給手順と
を備える香気物質導入方法。
【請求項２】
前記香気物質は、前記植物自体が生成して発散する香気物質と同じ物質を含む請求項１に記載の香気物質導入方法。
【請求項３】
前記香気物質は、前記植物自体が生成しない香気物質を含む請求項１に記載の香気物質導入方法。
【請求項４】
前記香気物質は、人体に知覚される香料を含む請求項１に記載の香気物質導入方法。
【請求項５】
前記香気物質は、忌避剤を含む請求項１に記載の香気物質導入方法。
【請求項６】
前記接触手順において、前記作用側電極構造体を前記植物の葉に接触させる請求項１に記載の香気物質導入方法。
【請求項７】
前記接触手順において、前記作用側電極構造体を前記植物の幹の根元部分に接触させる請求項１に記載の香気物質導入方法。
【発明の詳細な説明】
【技術分野】
【０００１】
本発明は、香気物質導入方法に関する。特に本発明は、香気物質をイオントフォレーシスにより植物の根、茎、葉もしくは果実など各部の表面から導入する方法に関する。
【背景技術】
【０００２】
植物の内部に栄養剤または活性剤などの物質を導入する方法としては、水などの溶媒に溶解した溶液を土壌灌注または葉面散布する方法が知られている。また、上記物質を溶解した溶液を含む香気物質溶液を樹木等に対して加圧注入する香気物質溶液注入装置が知られている（例えば、特許文献１を参照）。
【特許文献１】特開２００５−５９８８２号公報
【発明の開示】
【発明が解決しようとする課題】
【０００３】
上記特許文献１に開示されている香気物質溶液注入装置は、ノズルを樹木等の幹に差し込んで香気物質溶液を注入する装置であり、茎の細い植物に用いたり、葉面などに直接香気物質溶液を注入することが困難である。また、当該装置は、防虫剤、殺虫剤、栄養剤、活性剤などを樹木等に注入することで樹木等の樹勢回復、成長促進、および、樹木内部における防虫・殺虫などを目的としたものであり、樹木等を含む植物に注入した物質を植物から発散させることによる効果を想定したものではない。
【課題を解決するための手段】
【０００４】
上記課題を解決するために、本発明の第１の形態においては、香気物質を植物に導入して植物から発散させる香気物質導入方法であって、香気物質をイオン化して保持した作用側電極構造体、および、電解液を保持した非作用側電極構造体を有するイオントフォレーシス装置を準備する準備手順と、作用側電極構造体および非作用側電極構造体の少なくとも一部を植物に接触させる接触手順と、作用側電極構造体と非作用側電極構造体との間に電力を供給する電力供給手順とを備える香気物質導入方法が提供される。このような香気物質導入方法によれば、植物から発散する香気物質の濃度および成分を所望に調整することができる。
【０００５】
また、上記の香気物質導入方法において、香気物質は、植物自体が生成して発散する香気物質と同じ物質を含んでもよい。これにより、植物自体が生成して発散する香気物質をその植物に導入して、その濃度および成分を所望に調整することができる。
【０００６】
また、上記の香気物質導入方法において、香気物質は、植物自体が生成しない香気物質を含んでもよい。これにより、植物自体が生成しない香気物質をその植物に導入することができるので、任意の植物から所望の香気物質を発散させることができる。
【０００７】
また、上記の香気物質導入方法において、香気物質は、人体に知覚される香料を含んでもよい。これにより、植物から発散される香気物質によって、精神安定など人体にとって好ましい効果を得ることができる。
【０００８】
また、上記の香気物質導入方法において、香気物質は、忌避剤（動物忌避剤、害虫忌避剤など）を含んでもよい。これにより、植物から発散される香気物質によって、植物に対する病害虫などを減らすことができる。
【０００９】
また、上記接触手順において、作用側電極構造体を植物の葉に接触させてもよい。これにより、上記の香気物質導入方法を用いて導入した香気物質が植物から発散されるまでの時間を短縮することができる。
【００１０】
また、上記接触手順において、作用側電極構造体を植物の幹の根元部分に接触させてもよい。これにより、上記の香気物質導入方法を用いて導入した香気物質を植物全体から発散させることができる。
【００１１】
なお、上記の発明の概要は、本発明の必要な特徴の全てを列挙したものではなく、これらの特徴群のサブコンビネーションもまた、発明となりうる。
【００１２】
また、本明細書において「植物」は、植物の語自体から認識され得るものを包括的に含めた意味であり、樹木、花卉など分類学上の植物等を意味する。
【００１３】
また、本明細書において、「香気物質」は、水または脂質に対して可溶性で分子量がおよそ１５００以下の物質であり、植物の維管束系の組織に取り込まれた場合に、少なくともその一部がその植物から発散される物質を意味する。
【００１４】
また、本明細書において、「香気物質イオン」は、香気物質がイオン解離することにより生じるイオンであって、香気物質の効能を担うイオンを意味する。香気物質の香気物質イオンへの解離は、香気物質を水、アルコール類、酸、またはアルカリなどの溶媒に溶解させることにより生じるものであってもよく、さらに電圧の印加またはイオン化剤の添加等により生じるものであってもよい。
【００１５】
また、本明細書における「香気物質溶液」は、香気物質イオンを含む液体または固体をいい、香気物質を溶媒に溶解させた溶液、および、香気物質が液状である場合における原液などの液体状態のものだけでなく、香気物質の少なくとも一部が香気物質イオンに解離する限り、香気物質を溶媒等に懸濁または乳濁させたもの、および、軟膏状、ペースト状またはゲル状に調製されたものなど種々の状態のものを含む。
【００１６】
また、本明細書における「第１導電型」は、プラスまたはマイナスの電気極性を意味し、「第２導電型」は、第１導電型と反対の導電型（マイナスまたはプラス）を意味する。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
本実施形態の香気物質導入方法において、まず、以下に説明するイオントフォレーシス装置１０を準備する。図１は、イオントフォレーシス装置１０の斜視図を示す。また、図２は、イオントフォレーシス装置１０の使用状態における外観図を、図３は、イオントフォレーシス装置１０の上面図をそれぞれ示す。イオントフォレーシス装置１０は、香気物質を植物５００に導入して植物５００から発散させる場合に供される装置の一例である。図１に示すように、イオントフォレーシス装置１０は、固定バンド５１、５２、５３、電源部６０、作用側電極構造体２００および非作用側電極構造体３００とを備える。
【００１９】
固定バンド５１、５２、５３は、例えば発泡ポリウレタンなどの柔軟な素材が用いられ、後述する作用側電極構造体２００の第三支持体８５、および、非作用側電極構造体３００の第三支持体８６と一体的に形成されている。固定バンド５１は、その一方の端部５４に面ファスナー９０のループ面９１が粘着または縫い付けなどの方法で固定されている。また、固定バンド５１は、その他方の端部５７におけるループ面９１が固定されている面と反対側の面に面ファスナー９０のフック面９４が粘着または縫い付けなどの方法で固定されている。固定バンド５２、５３は、それぞれの一方の端部５５、５６に面ファスナー９０のループ面９２、９３が、他方の端部５８、５９に面ファスナー９０のフック面９５、９６が、固定バンド５１と同様の配置および方法で固定されている。
【００２０】
作用側電極構造体２００は、基体４１２および集電体４２０を含む電極部材４０２を有し、非作用側電極構造体３００は、基体４１３および集電体４３０を含む電極部材４０３を有する。基体４１２、４１３は、例えばＰＥＴ樹脂などの可撓性および電気絶縁性を有する材料で形成される。集電体４２０は、例えばカーボン粉などの導電粉を含有する導電塗料を、印刷などの方法で基体４１２の片側の面上に塗膜して形成される。集電体４３０は、集電体４２０と同様の材料および方法で基体４１３の片側の面上に塗膜して形成される。
【００２１】
電源部６０は、固定バンド５２の一の面上に固定されている。また、電極部材４０２の集電体４２０、および、電極部材４０３の集電体４３０は、電源部６０の異なる導電型の端子にそれぞれ電気的に接続している。すなわち、集電体４２０が電源部６０における第１導電型の端子に電気的に接続している場合、集電体４３０は電源部６０における第２導電型の端子に電気的に接続している。
【００２２】
上記イオントフォレーシス装置１０は、作用側電極構造体２００および非作用側電極構造体３００の少なくとも一部を植物５００に接触させて固定される。すなわち、図２に示すように、イオントフォレーシス装置１０は、植物５００の茎５１０に巻き付けられた状態で、固定バンド５１、５２、５３それぞれのループ面９１、９２、９３が対応するフック面９４、９５、９６に固定されると、茎５１０に固定される。このとき、作用側電極構造体２００および非作用側電極構造体３００の図３における裏側の面は、植物５００の茎５１０の表面と当接する。
【００２３】
イオントフォレーシス装置１０の作用側電極構造体２００および非作用側電極構造体３００の一の面が植物５００の茎５１０に当接した状態で、電源部６０は、電極部材４０２、４０３の集電体４２０、４３０を介して作用側電極構造体２００および非作用側電極構造体３００との間に電力を供給する。これにより、作用側電極構造体２００および非作用側電極構造体３００の間に茎５１０の表皮組織および内部組織を介して通電してイオントフォレーシス装置１０は使用状態となる。
【００２４】
図４は、図３のａ−ａ断面における断面図を示す。図４に示すように、イオントフォレーシス装置１０の電源部６０を挟んだ一方の側には、第一支持体８１、第二支持体８３および第三支持体８５が配されている。これらの内、第二支持体８３および第三支持体８５は、それぞれ略長方形の開口を有し、この開口部分に作用側電極構造体２００の構成部品が配されている。電源部６０における作用側電極構造体２００側に配される電極部材４０２は、集電体４２０を植物５００と当接する面の側（図４における下側）に向けて、第一支持体８１と第二支持体８３との間に挟持されている。
【００２５】
また、図４に示すように、イオントフォレーシス装置１０の電源部６０を挟んだ他方の側には、第一支持体８２、第二支持体８４および第三支持体８６が配されている。これらの内、第二支持体８４および第三支持体８６は、それぞれ上記の第二支持体８３および第三支持体８５と同様の略長方形の開口を有し、この開口部分に非作用側電極構造体３００の構成部品が配されている。電源部６０における非作用側電極構造体３００側に配される電極部材４０３は、集電体４３０を植物５００と当接する面の側（図４における下側）に向けて、第一支持体８２と第二支持体８４との間に挟持されている。
【００２６】
作用側電極構造体２００は、第一支持体８１の側から植物５００と当接する面の側（図４における下側）に向かって、第１分極性電極２１０、第１セパレータ２２０、第２導電型のイオン選択性膜２３０、香気物質溶液保持部２４０、および、第１導電型のイオン選択性膜２５０をこの順に有する。非作用側電極構造体３００は、植物５００と当接する面の側（図４における下側）に向かって、第２分極性電極３１０、第２セパレータ３２０、電解液保持部３４０、および、第２導電型のイオン選択性膜３５０をこの順に有する。電極部材４０２の集電体４２０は、作用側電極構造体２００の第１分極性電極２１０と当接し、また、電極部材４０３の集電体４３０は、非作用側電極構造体３００の第２分極性電極３１０と当接する。ここで、集電体４２０および集電体４３０は、それぞれ第１分極性電極２１０および第２分極性電極３１０と当接する面において略同じ面積であることが好ましい。
【００２７】
作用側電極構造体２００において、第１分極性電極２１０は、例えば活性炭などの導電体を含有する分極性電極（電気２重層容量キャパシタとも呼ばれる）が用いられる。分極性電極における通電は、活性炭の表面に電気２重層が形成されることにより生じる。第１セパレータ２２０は、略膜状であり、第１導電型の香気物質イオンを含む香気物質溶液を、例えば天然繊維、人工繊維の織布または不織布、多孔質膜、あるいはゲルなどの適当な吸収性をもつ担体に含浸させて保持する。
【００２８】
第２導電型のイオン選択性膜２３０は、第１分極性電極２１０との間で第１セパレータ２２０を挟み、第２導電型のイオンを選択的に透過する。香気物質溶液保持部２４０は、第１導電型の香気物質イオンを含む香気物質溶液を、例えば天然繊維、人工繊維の織布または不織布、多孔質膜、あるいはゲルなどの適当な吸収性をもつ担体に含浸させて保持する。ここで、第１セパレータ２２０が保持する香気物質溶液と、香気物質溶液保持部２４０が保持する香気物質溶液とは同じ組成であることが好ましい。第１導電型のイオン選択性膜２５０は、第２導電型のイオン選択性膜２３０との間で香気物質溶液保持部２４０を挟み、第１導電型のイオンを選択的に透過する。
【００２９】
非作用側電極構造体３００において、第２分極性電極３１０は、第１分極性電極２１０と同様に、例えば活性炭などの導電体を含有する分極性電極が用いられる。第２セパレータ３２０は、略膜状であり、例えば天然繊維、人工繊維の織布または不織布、多孔質膜、あるいは吸収性ゲルなどにより構成されて電解液を保持する。
【００３０】
電解液保持部３４０は、第２セパレータ３２０において第２分極性電極３１０と反対側に配され、電解液を含む粘性液体を、例えば天然繊維、人工繊維の織布または不織布、多孔質膜、あるいはゲルなどの適当な吸収性をもつ担体に含浸させて保持する。第２導電型のイオン選択性膜３５０は、第２セパレータ３２０との間で電解液保持部３４０を挟み、第２導電型のイオンを選択的に透過する。なお、第２セパレータ３２０、および電解液保持部３４０が保持する電解液には、作用側電極構造体２００の第１セパレータ２２０が保持する電解液と同様に、水の電気分解反応（水の酸化および還元反応）と比較して水の酸化還元電位より低い酸化還元電位を有する酸化および還元しやすい化合物が溶解した溶液を用いる。
【００３１】
イオントフォレーシス装置１０は、第１導電型のイオン選択性膜２５０および第２導電型のイオン選択性膜３５０における植物５００の茎５１０と当接する面の側に、茎５１０との密着性を高めるための粘着剤層を形成することもできる。また、粘着剤層のさらに前面側に、少なくとも第１導電型のイオン選択性膜２５０、および第２導電型のイオン選択性膜３５０を覆う剥離可能なライナーを貼付することもできる。これにより、イオントフォレーシス装置１０の保管中における異物の混入や乾燥を防止することができる。
【００３２】
イオントフォレーシス装置１０は、接触手順によって第１導電型のイオン選択性膜２５０および第２導電型のイオン選択性膜３５０の少なくとも一部が植物５００の茎５１０に当接した状態で電力供給手順に移る。すなわち、電源部６０から作用側電極構造体２００および非作用側電極構造体３００に対して、イオントフォレーシスを適用するための電力が供給される（電圧がかけられる）ことにより、作用側電極構造体２００および非作用側電極構造体３００の間に茎５１０の表皮組織および内部組織を介して電流が流れて使用状態となる。
【００３３】
ここで、香気物質イオンがアニオンである場合を例に、イオントフォレーシス装置１０の具体的構成についてさらに説明する。この場合、第１導電型は陰であり、第２導電型は陽である。したがって、作用側電極構造体２００の第１分極性電極２１０はカソードとなり、非作用側電極構造体３００の第２分極性電極３１０はアノードとなる。また、作用側電極構造体２００において、第２導電型のイオン選択性膜２３０にはカチオン交換膜を用い、第１導電型のイオン選択性膜２５０にはアニオン交換膜を用いる。また、非作用側電極構造体３００において、第２導電型のイオン選択性膜３５０にはカチオン交換膜を用いる。
【００３４】
イオントフォレーシス装置１０は、使用状態において、以下の作用効果を奏する。すなわち、作用側電極構造体２００では、第１分極性電極２１０が分極性電極であるので、第１分極性電極２１０において電極反応を生じることがなく、または電極反応を低減させた状態で、通電して使用状態とすることができる。したがって、例えば塩素ガスなどのガスの発生、または例えば次亜塩素酸イオンなどの好ましくないイオンの発生を抑止し、または少なくとも低減することができる。また、香気物質溶液保持部２４０が保持する香気物質溶液に含まれる香気物質イオンは、電気泳動によりカソードである第１分極性電極２１０と反対側（植物５００側）へ移動し、香気物質溶液保持部２４０の植物５００側に配されて植物５００と当接する第１導電型のイオン選択性膜２５０を透過して速やかに植物５００へ浸透する。植物５００へ浸透した香気物質イオンは、例えば植物５００が維管束植物で有る場合、表皮組織および内部組織を経て維管束系組織に取り込まれた後、植物５００の葉５２０の気孔などから発散される。
【００３５】
このとき、植物５００内部の組織に含まれるカチオンは第１導電型のイオン選択性膜２５０を透過して香気物質溶液保持部２４０側へ移動することがない。したがって、香気物質イオンの輸送効率の低下を抑えることができるので、安定した使用状態のもとでイオントフォレーシスにより香気物質イオンを植物５００へ導入することができる。また、香気物質溶液保持部２４０に含まれる、アニオンである香気物質イオンと対を成すカチオンは、第１分極性電極２１０側へ移動し、カチオン交換膜である第２導電型のイオン選択性膜２３０を透過して第１セパレータ２２０側へ移動する。したがって、使用状態において、香気物質溶液保持部２４０のイオンバランスが崩れないので、ｐＨの変化が生じにくく、通電抵抗が大きくなりにくい。
【００３６】
非作用側電極構造体３００では、第２分極性電極３１０が分極性電極であるので、第２分極性電極３１０において電極反応を生じることがなく、または電極反応を低減させた状態で、通電して使用状態とすることができる。したがって、例えば塩素ガスなどのガスの発生、または例えば次亜塩素酸イオンなどの好ましくないイオンの発生を抑止し、または少なくとも低減することができる。
【００３７】
なお、香気物質イオンがカチオンである場合は、第１導電型は陽であり、第２導電型は陰である。したがって、イオントフォレーシス装置１０における、第１分極性電極２１０および第２分極性電極３１０の電気的な極性は逆になり、また、第２導電型のイオン選択性膜２３０、第１導電型のイオン選択性膜２５０、および第２導電型のイオン選択性膜３５０の種類（イオン選択特性）はそれぞれ反対のものになる。
【００３８】
このように、イオントフォレーシス装置１０は、接触手順において、作用側電極構造体２００および非作用側電極構造体３００を植物５００の茎５１０など植物５００の幹の根元部分に接触させてイオントフォレーシスを適用することにより、茎５１０に対して香気物質を導入することができる。したがって、導入した香気物質を植物５００全体から発散させることができる。
【００３９】
図５は、イオントフォレーシス装置１１の斜視図を示す。また、図６は、イオントフォレーシス装置１１の使用状態における外観図を示す。上記準備手順において、イオントフォレーシス装置１０に代えて、図５および図６に示すイオントフォレーシス装置１１を準備してもよい。図５に示すように、イオントフォレーシス装置１１は、イオントフォレーシス装置１０の電源部６０、作用側電極構造体２００および非作用側電極構造体３００と同じ内部構成を有し、より小型である電源部６２、作用側電極構造体２０１および非作用側電極構造体３０１を備える。ここで、イオントフォレーシス装置１１における電源部６２、作用側電極構造体２０１および非作用側電極構造体３０１の構成および配置については、イオントフォレーシス装置１０と同様であり説明を省略する。
【００４０】
図５に示すように、イオントフォレーシス装置１１は、作用側電極構造体２０１および非作用側電極構造体３０１の周囲に延伸して配される略矩形でシート状の粘着部材１００を備える。粘着部材１００は、作用側電極構造体２０１の第三支持体８５、および、非作用側電極構造体３０１の第三支持体８６と一体的に形成されている。また、粘着部材１００における電源部６２、作用側電極構造体２０１および非作用側電極構造体３０１が配される側と反対側の面には、粘着面１１０が形成されている。
【００４１】
イオントフォレーシス装置１１は、上記のイオントフォレーシス装置１０と比べて小型かつ軽量であるので、接触手順において植物５００の茎５１０以外の部位にも当接した状態で保持することができる。すなわち、図６に示すように、イオントフォレーシス装置１１は、粘着部材１００の粘着面１１０が、例えば植物５００の葉５２０に粘着されることで、作用側電極構造体２０１の第１導電型のイオン選択性膜２５０、および、非作用側電極構造体３０１の第２導電型のイオン選択性膜３５０の少なくとも一部が葉５２０に当接した状態で保持される。イオントフォレーシス装置１１は、この状態で電力供給手順に移る。すなわち、電源部６２から作用側電極構造体２０１および非作用側電極構造体３０１に対して、イオントフォレーシスを適用するための電力が供給される（電圧がかけられる）ことにより、作用側電極構造体２０１および非作用側電極構造体３０１の間に葉５２０の表皮組織および内部組織を介して電流が流れて使用状態となる。イオントフォレーシス装置１１の使用状態における作用効果については、上記のイオントフォレーシス装置１０と同様であり説明を省略する。
【００４２】
このように、イオントフォレーシス装置１１は、作用側電極構造体２０１および非作用側電極構造体３０１を植物５００の葉５２０に接触させてイオントフォレーシスを適用することにより、葉５２０に対して香気物質を導入することができる。したがって、植物５００の茎５１０に香気物質を導入する場合と比べて、導入した香気物質が植物５００から発散されるまでの時間を短縮することができる。
【００４３】
本実施形態の香気物質導入方法おいて、香気物質を植物５００に導入して植物５００から発散させるまでの手順は、上記手順の順序に限定されない。例えば、予め準備されたイオントフォレーシス装置１０、１１は、電源部６０、６２から予め作用側電極構造体２００、２０１および非作用側電極構造体３００、３０１に対してイオントフォレーシスを適用するための電力が供給された（電圧がかけられた）状態で、植物５００に接触されて固定されてもよい。この場合、イオントフォレーシス装置１０、１１の作用側電極構造体２００、２０１および非作用側電極構造体３００、３０１が植物５００の茎５１０または葉５２０などに接触すると、これらの間に茎５１０または葉５２０の表皮組織および内部組織を介して直ちに電流が流れて使用状態となる。
【００４４】
図７は、イオントフォレーシス装置１０の他の例の断面図を示す。図７のイオントフォレーシス装置１０は、図４の作用側電極構造体２００および非作用側電極構造体３００に代えて、図７に示す内部構成を有する作用側電極構造体２０２および非作用側電極構造体３０２を備えてもよい。ここで、作用側電極構造体２０２および非作用側電極構造体３０３について、作用側電極構造体２００および非作用側電極構造体３００と同じ構成については同じ参照番号を付して説明を省略する。
【００４５】
図７に示すように、作用側電極構造体２０２は、電極２１２、および、香気物質が溶解した溶液を保持する香気物質溶液保持部２４０を有する。また、非作用側電極構造体３０２は、電極２１４、および、電解液を保持する電解液保持部３４０を有する。ここで、電極２１２、２１４の一方は銀の電極であり、他方が塩化銀等の酸化銀の電極である。作用側電極構造体２０２および非作用側電極構造体３０２は、上記の作用側電極構造体２００および非作用側電極構造体３００と比べてより簡易な構造であるので、部品点数を少なくすることができる。
【００４６】
図５のイオントフォレーシス装置１１についても、作用側電極構造体２０１および非作用側電極構造体３０１に代えて、図７に示す構成と同様の構成を有する作用側電極構造体２０２および非作用側電極構造体３０２を備えてもよい。
【００４７】
本実施形態の香気物質導入方法おいて、イオントフォレーシス装置１０、１１によるイオントフォレーシスの適用に供される香気物質は、植物５００自体が生成して発散する香気物質と同じ物質を含んでもよい。この場合、植物５００自体が生成して発散する香気物質をその植物５００に導入することで、その濃度および成分を所望に調整することができる。また、当該香気物質は、植物５００自体が生成しない香気物質を含んでもよい。この場合、植物５００自体が生成しない香気物質をその植物５００に導入することができるので、任意の植物５００から所望の香気物質を発散させることができる。このような香気物質は、植物５００から発散された場合に、嗅覚などで知覚されることで精神安定など人体にとって好ましい影響を及ぼす、または好ましい影響を及ぼすと考えられる香料などの物質を含んでもよい。
【００４８】
上記の香気物質は、例えば分子内にアルコール、フェノール、アルデヒド、エーテル、カルボキシル基などの官能基および不飽和結合を持つ物質であり、より具体的には、分子内にアルコール、フェノール、アルデヒド、エーテル、カルボキシル基などの官能基および不飽和結合を持つ揮発性物質が好ましく、例えば、アセチルイソオイゲノール、アニシックアルコール、アルテミシアケトン、アニスアルデヒド、アネトール、アセトフェノン、アンゲリカ酸エステル、イロン、β−イオノン、インドール、エストラゴール（メチルチャビコール）、オシメン、オイゲノール、カルバクロール、カンファー、ガンマデカラクトン、キャリオフィレン、ゲラニオール、酢酸エチル、シクラメンアルデヒド、シトロネロール、シトロネリルアセテート、ジヒドロタゲトン、シンナミルアルコール、シンナミルアセテート、シンナムアルデヒド、１，８−シネオール、ジャスミンラクトン、ジャスモン、ターピネオール、Ｙ―ターピネン、タゲトン、ダマセノン、チモール、γ−デカラクトン、ネロール、ネロリドール、バニリン、ヒドロキシシトロネラール、ヒドロキノンジメチルエーテル、α−ピネン、β−ピネン、β−フェニルエチルアルコール、２−フェニルエチルアルコール、ヘキサノール、シス−３−ヘキセノール、ヘリオトロピン、ベンジルアセテート、ベンズアルデヒド、ベンジルアルコール、ベンジルベンゾエート、ベンジルサリシレート、ベンズアルデヒド、ボルネオール、ミュゲアルデヒド、メチルアニセート、ｐ−メチルアニソール、メチルアンスラニレート、メチルジャスモネート、メチルベンジルエーテル、メチルベンゾエート、ライラックアルコール、リナロール、リナリルアセテート、リナロールオキサイド、リラール、リリアール、リモネン、ローズオキサイド、ロジノール、４−メトキシ−２−メチルブタン−２−チオール、１−フェニル−２，３−ブタンジオール、３−ヒドロキシ−４−フェニル−２−ブタノン、トランス−２，シス−６−ノナジエナール、トランス−２， シス−６−ノナジエノール、３−メチル−５−（２−メチルプロピル）−２−フランカルバルデハイドが挙げられる。
【００４９】
本実施形態の香気物質導入方法おいて、イオントフォレーシス装置１０、１１によるイオントフォレーシスの適用に供される香気物質は、植物５００の害虫などを忌避する虫忌避剤であってもよい。具体例としては、例えば、N，N−ジエチル−m−トルアミド、ペンタン−１，２−ジオール、カラン−３，４−ジオール、フタル酸ジブチル、Ｎ−ブチルアセトアニリド、アルミニウム・アンモニウム・サルファイト、ジエチル−トリルアミド、エチルヘキサンジオールおよびブトピロノキシルが挙げられる。
【００５０】
また、イオントフォレーシス装置１０、１１により植物５００に対してイオントフォレーシスを適用するための電圧は、例えば、低周波治療器のようにパルス電圧でもよい。また、徐々に電圧を上げたり、あるいは、下げてもよい。植物５００の組織内を流れる電流は、香気物質を導入する部位の通電抵抗および香気物質の導入ペースなどにより所望に設定することができる。
【００５１】
また、電源部６０、６２には、例えば、電池、定電圧装置、定電流装置、定電圧・定電流装置（ガルバノ装置）などが用いられる。電源部６０、６２は、イオントフォレーシス装置１０、１１の一部と固定または一体的に成形されて配されてもよいが、着脱できればより好ましい。この場合、イオントフォレーシス装置１０、１１を使用しないときに電源部６０、６２を取り外して別途保管することができるので、香気物質溶液保持部２４０からの揮発により気化した香気物質溶液による電源部６０、６２の腐食などを防ぐことができる。
【００５２】
また、第１分極性電極２１０および第２分極性電極３１０に用いる分極性電極に含有させる活性炭は、単位重量あたりの静電容量が１Ｆ／ｇ以上であること、または比表面積が１０ｍ２／ｇ以上であることが好ましい。また、この活性炭には、ヤシ殻、木粉、石炭、ピッチ、コークスなどの炭素を含有する原料を炭化、賦活することで得られる活性炭を使用することができる。
【００５３】
また、作用側電極構造体２００、２０１、２０２の第１セパレータ２２０、非作用側電極構造体３００、３０１、３０２の第２セパレータ３２０および電解液保持部３４０は、上記のように、電解液として、水の電気分解反応（水の酸化または還元反応）と比較して水の酸化還元電位より低い酸化還元電位を有する酸化または還元しやすい化合物が溶解した溶液を用いることが好ましく、例えば、乳酸、アスコルビン酸、フマル酸などが挙げられる。
【００５４】
また、アニオン交換膜は、例えば、高分子の側鎖に四級化されたアンモニウム基を有するもの、カチオン交換膜としては、例えば、高分子の側鎖にスルホン酸基を有するものなど所望のものでよく、これらは香気物質イオンの種類などによって適宜組み合わせてもよい。
【００５５】
以上、本実施形態である香気物質導入方法によれば、植物５００から発散する香気物質をイオン化してイオントフォレーシスにより植物５００に導入することができるので、植物５００から発散する香気物質の濃度および成分を所望に調整することができる。また、上記イオントフォレーシス装置１０の作用側電極構造体２００（２０１）および非作用側電極構造体３００（３０１）を植物５００の茎５１０など植物５００の幹の根元部分に接触させてイオントフォレーシスを適用することにより、茎５１０に対して香気物質を導入することができる。したがって、導入した香気物質を植物５００全体から発散させることができる。さらに、上記イオントフォレーシス装置１１において、作用側電極構造体２０２および非作用側電極構造体３０２を植物５００の葉５２０に接触させてイオントフォレーシスを適用することにより、葉５２０に対して香気物質を導入することができる。したがって、植物５００の茎５１０に香気物質を導入する場合と比べて、導入した香気物質が植物５００から発散されるまでの時間を短縮することができる。
【００５６】
以上、本発明を実施の形態を用いて説明したが、本発明の技術的範囲は上記実施の形態に記載の範囲には限定されない。上記実施の形態に、多様な変更または改良を加えることができることは当業者に明らかである。その様な変更または改良を加えた形態も本発明の技術的範囲に含まれ得ることが、特許請求の範囲の記載から明らかである。
【図面の簡単な説明】
【００５７】
【図１】イオントフォレーシス装置１０の斜視図を示す。
【図２】イオントフォレーシス装置１０の使用状態における外観図を示す。
【図３】イオントフォレーシス装置１０の上面図を示す。
【図４】図３におけるａ−ａ断面の断面図を示す。
【図５】イオントフォレーシス装置１１の斜視図を示す。
【図６】イオントフォレーシス装置１１の使用状態における外観図を示す。
【図７】作用側電極構造体２０２および非作用側電極構造体３０２を備えるイオントフォレーシス装置１０の断面図を示す。
【符号の説明】
【００５８】
１０、１１  イオントフォレーシス装置、５１、５２、５３  固定バンド、５４、５５、５６  一方の端部、５７、５８、５９  他方の端部、６０、６２  電源部、７８  固定バンド、８１、８２  第一支持体、８３、８４  第二支持体、８５、８６  第三支持体、９０  面ファスナー、９１、９２、９３  ループ面、９４、９５、９６  フック面、１００  粘着部材、１１０  粘着面、２００、２０１、２０２  作用側電極構造体、２１０  第１分極性電極、２１２、２１４  電極、２２０  第１セパレータ、２３０  第２導電型のイオン選択性膜、２４０  香気物質溶液保持部、２５０  第１導電型のイオン選択性膜、２５５  皮膚接触層、３００、３０１、３０２  非作用側電極構造体、３１０  第２分極性電極、３２０  第２セパレータ、３４０  電解液保持部、３５０  第２導電型のイオン選択性膜、４０２、４０３  電極部材、４１２、４１３  基体、４２０、４３０  集電体、５００  植物、５１０  茎、５２０  葉
【図１】
2008043266.tif 000003
【図２】
2008043266.tif 000004
【図３】
2008043266.tif 000005
【図４】
2008043266.tif 000006
【図５】
2008043266.tif 000007
【図６】
2008043266.tif 000008
【図７】
2008043266.tif 000009